(57)【要約】【課題】バーコードを読み取る読み取り手段を備え、各種の設定、制御を行うビル管理システムにおいて、使用するバーコードのセキュリティ性を強化するビル管理システムを得る。【解決手段】バーコードを読み取るカメラ７を備え、予め印字したバーコード３２をカメラ７に読み込ませてビル１に設置されたビル内機器２の設定、制御を行うビル管理システムにおいて、携帯電話２０にバーコード３０を読み込ませ、該バーコード３０を携帯電話２０からビル管理システム３に送信し、該送信したバーコードとビル管理システム３に読み込まれたバーコードが一致したとき、携帯電話２０によりビル内機器２の設定、制御を行う。【選択図】図１
2014011716.tif 000002
【特許請求の範囲】
【請求項１】
バーコードを読み取る読み取り手段を備え、予め印字したバーコードを上記読み取り手段に読み込ませてビルに設置された機器の設定、制御を行うビル管理システムにおいて、
端末にバーコードを読み込ませ、該バーコードを上記端末から上記ビル管理システムに送信し、該送信したバーコードと上記ビル管理システムに読み込まれたバーコードが一致したとき、上記端末により上記機器の設定、制御を行うことを特徴とするビル管理システム。
【請求項２】
上記端末から上記ビル管理システムに送信するバーコードに、上記ビルの識別番号を付加したことを特徴とする請求項１に記載のビル管理システム。
【請求項３】
上記端末から上記ビル管理システムに送信するバーコードに、上記バーコードの有効期限を付加したことを特徴とする請求項１または２に記載のビル管理システム。
【請求項４】
上記端末で上記ビルの保守会社のＷｅｂサーバーに接続し、該Ｗｅｂサーバーでバーコードを生成し、上記端末に上記生成したバーコードを読み込ませることを特徴とする請求項１〜３の何れか一項に記載のビル管理システム。
【発明の詳細な説明】
【技術分野】
【０００１】
この発明は、ビル管理システムに係り、特に、中小ビル向けビル管理システムに関するものである。
【背景技術】
【０００２】
中小ビル向けビル管理システムにおいては、常駐する管理者がおらず、使用頻度が少ないこと、あるいは機器設置スペースがないこと等の理由で、各種の設定を行うマンマシンインターフェース（入力・表示装置）を設置することが困難である。マンマシンインターフェースとしてカメラとバーコードを用いて、ビル、あるいは倉庫の各種設定、制御を行う管理システムが、例えば特開平６-７６１８９号公報（特許文献１）、特開平８-２３２９６号公報（特許文献２）に提案されている。
【先行技術文献】
【特許文献】
【０００３】
【特許文献１】特開平６-７６１８９号公報
【特許文献２】特開平８-２３２９６号公報
【発明の概要】
【発明が解決しようとする課題】
【０００４】
上記特許文献１に提案されているビル管理システムによれば、所定の領域毎の設備のスケジュール発停制御の変更が、利用者により所定の領域毎に行える長所があり、また上記特許文献２に提案されている倉庫の管理システムによれば、所望の在庫品を容易に見つけ出すことができる長所がある。しかし、何れの管理システムにおいても、カメラによりバーコードを読み取らせるに当り、バーコードを入手できれば誰でも設定、制御が可能であって、バーコードのセキュリティ性が確保できていない課題がある。
【０００５】
この発明は、上記の課題に着目して成されたもので、バーコードを読み取る読み取り手段を備え、各種の設定、制御を行うビル管理システムにおいて、使用するバーコードのセキュリティ性を強化するビル管理システムを提供するものである。
【課題を解決するための手段】
【０００６】
この発明によるビル管理システムは、バーコードを読み取る読み取り手段を備え、予め印字したバーコードを上記読み取り手段に読み込ませてビルに設置された機器の設定、制御を行うビル管理システムにおいて、端末にバーコードを読み込ませ、該バーコードを上記端末から上記ビル管理システムに送信し、該送信したバーコードと上記ビル管理システムに読み込まれたバーコードが一致したとき、上記端末により上記機器の設定、制御を行うものである。
【発明の効果】
【０００７】
この発明によるビル管理システムによれば、バーコードを読み取る読み取り手段を備え、各種の設定、制御を行うビル管理システムにおいて、使用するバーコードのセキュリティ性を強化したビル管理システムを提供することができる。
【図面の簡単な説明】
【０００８】
【図１】この発明の実施の形態１によるビル管理システムのブロック構成図である。
【図２】この発明の実施の形態１によるビル管理システムで使用される携帯電話データベースの一例を示す図である。
【図３】この発明の実施の形態１によるビル管理システムで使用されるビル設備データベースの一例を示す図である。
【図４】この発明の実施の形態１によるビル管理システムの処理フローを示す図である。
【図５】この発明の実施の形態１によるビル管理システムの処理フローを示す図である。
【発明を実施するための形態】
【０００９】
以下、この発明によるビル管理システムの好適な実施の形態について図面を参照して説明する。なお、この発明はこれに限定されるものでなく、その発明の範囲内において、実施の形態を適宜、変形、省略することが可能である。
【００１０】
実施の形態１．
図１は、この発明の実施の形態１によるビル管理システムのブロック構成図である。図１において、ビル１には、例えば照明機器あるいは空調機器などのビル内機器２と、このビル内機器２を管理するビル管理システム３が備えられている。ビル管理システム３は、ビル内機器２を制御インターフェイス（以下、制御Ｉ／Ｆと言う。）４を介して管理・制御するビル管理制御部５、バーコード読取部６、カメラ７、及び端末、例えば携帯電話２０に対して発報する電話発報部８を備えている。また、ビル管理システム３には、携帯電話データベース９と、ビル設備データベース１０が備えられている。
【００１１】
携帯電話２０は、ビル保守会社のＷｅｂサーバー３０にアクセスできるように構成されており、ビル保守会社のＷｅｂサーバー３０には、バーコード生成部３１と、バーコード３２を表示するバーコード表示部３３が備えられている。
【００１２】
実施の形態１によるビル管理システムは、上記のように構成されており、携帯電話２０で、ビル保守会社のＷｅｂサーバー３０にアクセスして、制御するビル内機器２など必要な項目を入力する。バーコード生成部３１では入力されたデータをバーコードに変換してバーコード表示部３３にバーコード３２を表示させる。表示されたバーコード３２を携帯電話２０に設けられたカメラで読み込ませる。なお、バーコード表示部３３に表示されたバーコード３２を携帯電話２０のカメラで読み込む以外に、ビル保守会社から携帯電話２０にバーコード３２をメールで送信して貰うようにしても良い。
【００１３】
ユーザーは携帯電話２０からビル１に備えられているビル管理システム３のカメラ７に、以下の３種類のバーコードを読み込ませる。
（１）携帯電話シリアル番号バーコード
（２）ビル内機器シリアル番号バーコード
（３）ビル内機器の設定／制御用バーコード
そして、ビル管理システム３のバーコード読取部６でバーコード３２を変換し、ビル管理制御部５に渡す。
【００１４】
ビル管理制御部５では、携帯電話シリアル番号を用いて携帯電話データベース９から携帯電話のメールアドレスを取り出し、乱数を発生させてその乱数をバーコードに変換する。そして、電話発報部８から当該メールアドレスに乱数バーコードを送信する。なお、発生させた乱数はビル管理制御部５に記憶しておく。
【００１５】
携帯電話２０は、受信した乱数バーコードをカメラ７に読み込ませて、ビル管理制御部５にて記憶しておいた乱数と受信したバーコード３２から取り出した乱数を比較する。両者が一致した場合は、事前に取り込んでいたビル内機器シリアル番号を用いてビル設備データベース１０からビル内機器２を選択する。選択した後、ビル内機器２の設定／制御に従って制御Ｉ／Ｆ４からビル内機器２の制御を実施する。
【００１６】
なお、携帯電話２０からビル管理システム３に送信するバーコードに、ビル１の識別番号を付加し、該ビル１用の設定のみ受け付けるように構成したり、また、携帯電話２０からビル管理システム３に送信するバーコードに有効期限を付加し、有効期限外の設定を受け付けないようにして、バーコードのセキュリティ性を一層強化することも考えられる。
【００１７】
図２は、携帯電話データベースの一例である。この例では、ビル内機器２の設定／制御を可能とする携帯電話２０を登録する。ビル内機器２の設定／制御を可能とする携帯電話２０にユニークなシリアル番号を割り付けて電話番号・メールアドレスなどと一緒に管理している。
【００１８】
図３は、ビル設備データベース１０の一例である。自ビル１の制御のみを受け付けるためのビル識別番号とビル内機器２毎に割り付けられたシリアル番号で構成されている。
【００１９】
図４及び図５は、実施の形態１によるビル管理システム３の処理フローである。このビル管理システム３を使用するために事前準備を行う。事前準備としては、ビル内機器２の設定／制御を可能とする携帯電話２０でビル保守会社のＷｅｂサーバー３０にアクセスし、このＷｅｂサーバー３０に携帯電話番号、メールアドレスなどを入力する。そして、ビル保守会社のサーバー３０において、例えば図２に例示した携帯電話データベース９を作成して携帯電話シリアル番号をバーコード化してビル内機器２の設定／制御を可能とする携帯電話２０に記憶させておく。（ステップＳ１）
【００２０】
なお、更新された携帯電話データベース９はリアルタイムでビル管理システム３に送られる。また、別途、設定／制御を行うビル内機器２について、例えば図３に例示したビル設備データベース１０を作成する必要があり、作成したビル設備データベース１０もリアルタイムでビル管理システム３に送られる。
【００２１】
次に、実際にビル内機器２の設定／制御を実施する場合は、予め登録されている携帯電話２０からビル保守会社のＷｅｂサーバー３０にアクセスし、Ｗｅｂ画面で制御するビル内機器２の選択及び設定／制御の内容を入力する。ビル設備データベース１０から、入力されたビル内機器２に対応するビル内機器シリアル番号を取り出しバーコード化する。また、設定／制御の内容も同様にバーコード化する。（ステップＳ２）
【００２２】
次に、バーコード化されたデータを携帯電話２０に取り込む。ビル管理システム３のカメラ７に今回取り込んだバーコード２種類と事前に取り込んである携帯電話シリアル番号バーコードを読み込ませる。（ステップＳ３）
【００２３】
次に、ビル管理システム３では、乱数を発生させてバーコード化する。携帯電話シリアル番号から携帯電話データベース９に設定されているメールアドレスに対してバーコード化された乱数を送信すると同時に送信した乱数を記憶しておく。（ステップＳ４）
【００２４】
次に、携帯電話２０で、受信したメールに添付されている、バーコード化したデータをビル管理システム３のカメラ７に取り込ませる。（ステップＳ５）
【００２５】
ビル管理システム３では、記憶しておいた乱数とバーコードで読み込んだ乱数を比較して、一致した場合のみ指定されたビル内機器２に対して指定された設定／制御を行う。一致しなかった場合は、設定／制御を破棄する。（ステップＳ６）
【００２６】
以上のように、実施の形態１によるビル管理システムによれば、バーコードを読み取る読み取り手段を備え、各種の設定、制御を行うビル管理システムにおいて、ビル管理システム３と携帯電話２０との間で相互認証を実施したバーコードを両者に読み込ませることにより、バーコードのセキュリティ性を強化するビル管理システムを得ることができる。
【符号の説明】
【００２７】
１  ビル                                ２  ビル内機器
３  ビル管理システム                    ４  制御インターフェイス（制御Ｉ／Ｆ）
５  ビル管理制御部                      ６  バーコード読取部
７  カメラ                              ８  電話発報部
９  携帯電話データベース                １０  ビル設備データベース
２０  携帯電話                          ３０  Ｗｅｂサーバー
３１  バーコード生成部                  ３２  バーコード
３３  バーコード表示部
【図１】
2014011716.tif 000003
【図２】
2014011716.tif 000004
【図３】
2014011716.tif 000005
【図４】
2014011716.tif 000006
【図５】
2014011716.tif 000007